(57)【要約】【課題】この発明は、蓋体を開けやすくすると共に、蓋体が捩れに強い収納ケースに関する。【解決手段】ケース本体の前面壁部に、蓋体の前面壁部からなる覆片を嵌め込む開口部を設け、該開口部の左右に設けられたケース本体の前面壁部が、ケース本体の高さの中途位置まで延びる下肩壁部からなり、前記蓋体の覆片の左右には前記下肩壁部と同一面上で隙間無く接する上肩壁部を設け、前記覆片の下端縁部には凹状に切欠かれた受部が形成され、前記開口部の下端にケース本体の底壁部から突出し、上記受部に嵌合する突片が形成されてなることを特徴とする。【選択図】　　図１
2004123212.tif 000002
【特許請求の範囲】
【請求項１】
ケース本体と、そのケース本体を閉塞する蓋体と、上記ケース本体に蓋体を回転自在に接続する薄肉状のヒンジとからなるプラスチック製の収納ケースにおいて、
ケース本体の前面壁部に、蓋体の前面壁部からなる覆片を嵌め込む開口部を設け、
前記覆片の下端縁部には凹状に切欠かれた受部が形成され、
前記開口部の下端にケース本体の底壁部から突出し、上記受部に嵌合する突片が形成されてなることを特徴とする収納ケース。
【請求項２】
ケース本体と、そのケース本体を閉塞する蓋体と、上記ケース本体に蓋体を回転自在に接続する薄肉状のヒンジとからなるプラスチック製の収納ケースにおいて、
蓋体の側片部が、収納ケースを閉じた際にケース本体の側面壁部の内側に重なるように配置されており、
ケース本体の前壁部には、収納ケースを閉じた際に前記蓋体の側片部をケース本体の側面壁部との間の隙間に嵌め込む拘束片部を一体に設けてなることを特徴とする収納ケース。
【請求項３】
ケース本体の前面壁部に、蓋体の前面壁部からなる覆片を嵌め込む開口部を設け、前記覆片の下端縁部には凹状に切欠かれた受部が形成され、前記開口部の下端にケース本体の底壁部から突出し、上記受部に嵌合する突片が形成されてなることを特徴とする請求項２に記載の収納ケース。
【請求項４】
ケース本体の開口部の左右に設けられたケース本体の前面壁部が、ケース本体の高さの中途位置まで延びる下肩壁部からなり、
前記蓋体の覆片の左右には前記下肩壁部と同一面上で隙間無く接する上肩壁部が設けられていることを特徴とする請求項１から３に記載のいずれかの収納ケース。
【請求項５】
拘束片部が、下肩壁部に一体に設けられると共に、該下肩壁部より上方に突出してなることを特徴とする請求項４に記載の収納ケース。
【請求項６】
下肩壁部の上端縁と、上肩壁部の下端縁に、凹凸係合可能な凹部と突部を、それぞれに一体に設け、
収納ケースを閉じて下肩壁部と上肩壁部とが接する際に上記凹部と突部が嵌合しうることを特徴とする請求項４または５に記載のいずれかの収納ケース。
【発明の詳細な説明】
【０００１】
【産業上の利用分野】
この発明は、開閉しやすく、且つ捩れに強い収納ケースの改良に関する。
【０００２】
【従来の技術】
従来、図９に示すように、ケース本体１１０の前面部に設けた開口部１１１に、蓋体１２０の前面部からなる覆片１２１を嵌め込む場合に、この開口部１１１の下端にケース本体１１０の底壁部１１０ａから突出する突部１１３が形成されている。
一方、覆片１２１の下端で内壁面には上記突部１１３を嵌め込む窪み部１２３が凹設されている。
そして前記突部１１３が小さいこと、および窪み部１２３が貫通孔では無いことから、収納ケースの蓋体１２０を開ける際には、前記突部１１３側を押さえておいて蓋体１２０を開ける必要があり、開けづらい欠点がある。
また、蓋体１２０は矢印で示す厚み方向に力が加わった際に捩れに対して撓みやすいという欠点があった。
同様に、蓋体の前面壁部と、これと重なるケース本体の前面壁部に、相互に係合する係合突部を設けて掛止める構造も知られている（特許文献１参照）が、この場合も前記と同様の問題点がある。
【０００３】
【特許文献１】
実開平６−５３４３８号（明細書６頁、図２参照）
【０００４】
【発明が解決しようとする問題点】
この発明は上記事情に鑑みて創案されたものであって、その主たる課題は、蓋体を開けやすくすると共に、蓋体が捩れに強い収納ケースを提供することにある。
【０００５】
【問題点を解決するための手段】
この発明は上記事情に鑑みて創案されたものであって、請求項１の発明では、ケース本体と、そのケース本体を閉塞する蓋体と、上記ケース本体に蓋体を回転自在に接続する薄肉状のヒンジとからなるプラスチック製の収納ケースにおいて、
ケース本体の前面壁部に、蓋体の前面壁部からなる覆片を嵌め込む開口部を設け、前記覆片の下端縁部には凹状に切欠かれた受部が形成され、前記開口部の下端にケース本体の底壁部から突出し、上記受部に嵌合する突片が形成されてなる、という技術的手段を講じている。
請求項２の発明では、
ケース本体と、そのケース本体を閉塞する蓋体と、上記ケース本体に蓋体を回転自在に接続する薄肉状のヒンジとからなるプラスチック製の収納ケースにおいて、
蓋体の側片部が、収納ケースを閉じた際にケース本体の側面壁部の内側に重なるように配置されており、ケース本体の前壁部には、収納ケースを閉じた際に前記蓋体の側片部をケース本体の側面壁部との間の隙間に嵌め込む拘束片部を一体に設けてなる、という技術的手段を講じている。
請求項３の発明では、
前記ケース本体の前面壁部に、蓋体の前面壁部からなる覆片を嵌め込む開口部を設け、前記覆片の下端縁部には凹状に切欠かれた受部が形成され、前記開口部の下端にケース本体の底壁部から突出し、上記受部に嵌合する突片が形成されてなる、という技術的手段を講じている。
また、請求項４の発明では、
前記ケース本体の開口部の左右に設けられたケース本体の前面壁部が、ケース本体の高さの中途位置まで延びる下肩壁部からなり、
前記蓋体の覆片の左右には前記下肩壁部と同一面上で隙間無く接する上肩壁部が設けられている、という技術的手段を講じている。
請求項５の発明では、上記拘束片部が、下肩壁部に一体に設けられると共に、該下肩壁部より上方に突出してなる、という技術的手段を講じている。
更に、請求項６の発明では、
前記下肩壁部の上端縁と、上肩壁部の下端縁に、凹凸係合可能な凹部と突部を、それぞれに一体に設け、
収納ケースを閉じて下肩壁部と上肩壁部とが接する際に上記凹部と突部が嵌合しうる、という技術的手段を講じている。
【０００６】
【発明の実施の形態】
以下に、この発明の収納ケースの好適実施例について図面を参照しながら説明する。
図１および図２に示す収納ケース１は、プラスチックの一体成型品からなっており、ケース本体１０と、そのケース本体１０を閉塞する蓋体２０と、上記ケース本体１０に蓋体２０を回転自在に接続する薄肉状のヒンジＨとからなっている。
【０００７】
図示例の収納ケース１は、ケース本体１０の側壁面１０ｃに、吊下げ構造の一例を示す貫通孔３を有する吊下げ片部２を薄肉部５を介して一体に設けた形成した構成からなっている。
従って、収納ケースを吊下げて展示することができ、不要時には吊下げ片部２を切り離して使用することができるようになっているが、本発明はこのような形態に限定されるものではない。
【０００８】
ケース本体１０は、上面が開放された略箱型からなっており、図示例の場合、水平面の底面壁部１０ａと、該底面壁部１０ａの三方を覆って立設される背面壁部１０ｂおよび左右一対の側面壁部１０ｃとを有し、前記背面壁部１０ｂに対向する前面壁部では中央に開口部１１を設けている。
この開口部１１は、下方に向かって漸次幅狭となる略倒立梯形状の空間からなっており、この開口部１１の左右に設けられた前面壁部が、ケース本体１０の高さの中途位置まで延びる略台形の片からなる左右一対の下肩壁部１２を構成している。
【０００９】
一方、蓋体２０は、前記底壁面部１０ａに対向する頂壁部２０ａと、該頂壁部２０ａの左右の側面で、収納ケース１を閉じた際に前記ケース本体１０の側面壁部１０ｃの上端が衝合する部分を避けて、その内側となるようにずれた位置に設定された左右一対の側片部２０ｃと、頂壁部２０ａの前端から垂下する覆片２１を有する前壁部とからなっている。
【００１０】
この覆片２１は、前記開口部１１を覆うものであり、略倒立梯形状からなっており、その左右両側には、収納ケース１を閉じた際に、前記下肩壁部１２と同一面上で隙間無く接する上肩壁部２２が連設されている。
図示例の場合、上肩壁部２２の下端縁部２２ａは水平面に設定されており、これに対応する下肩壁部１２の上端縁部１２ａも同じ長さの水平面に設定されている。
【００１１】
そして、収納ケース１を閉じた際には、下肩壁部１２の上端縁部１２ａに上肩壁部２２の下端縁部２２ａが隙間無く衝合し、下肩壁部１２の傾斜面となる側端縁部１２ｂには前記覆片２１の同様の傾斜面に設定された側縁部２１ｂが同一面上で隙間無く衝合するようになっている。
【００１２】
このような構成のもとで、前記覆片２１の下端縁部２１ａの中央には、凹状に切欠かれて貫通した受部２３が形成されている。
一方、前記開口部１１の下端には、底面壁部１０ａの前端から突出し、上記受部２３に嵌合する突片１３が突設されている。
従って、突片１３は、収納ケース１が閉じた際にも先端部１３ａが表面に表れており、この部分を手掛けとして押さえて、覆片２１を容易に開けることができる。
【００１３】
また、突片１３の左右の側辺部１３ｂは、前記受部２３の厚み部分の側壁２３ｂと衝合するので捩れにくくなる。
また、突片１３を上向きのアングル状（図３参照）、または下向きの断面アングル状（図４参照）に形成することにより、突片１３の強度を高め、また突片の側辺部１３ｂと受部の側壁２３ｂとの衝合面積を広くして、捩れに対して強度を高めることができる。この場合、その他の構造は前記実施例と同様である。
【００１４】
次に、前記蓋体２０は、その側片部２０ｃが、収納ケースを閉じた際にケース本体１０の側面壁部１０ｃの内側に重なって配置されており、ゴミや埃の浸入を防ぐもので、ケース本体１０の側面壁部１０ｃに比べて縦幅が短く、上肩壁部２２の内面に連接する先端側の縦幅が高くなるように設定されている。
【００１５】
一方、ケース本体１０の下肩壁部１２には、該下肩壁部１２より上方に突出する杆状の拘束片部１４を一体に設けている（図１、図５参照）。
この拘束片部１４は、収納ケース１を閉じた際に、前記蓋体２０の側片部２０ｃをケース本体１０の側面壁部１０ｃと共に左右から挟むように配置されている。
【００１６】
従って、収納ケース１を閉じた際に、収納ケース１を開く前面側での前述の上肩壁部２２と下肩壁部１２との掛止めと共に、上肩壁部２２と接する側片部２０ｃをケース本体１０の側面壁部１０ｃと拘束片部１４の間に隙間に嵌め込んで拘束するので、これらの拘束によって、蓋体２０は捩れにくくなる。
本実施例では、突片１３と受部２３による掛止構造と、上記側面壁部１０ｃと拘束片部１４との間で蓋体２０の側片部２０ｃを拘束する構造とを、一緒に用いて捩れを防止する構造を示したが、それぞれを別々に用いることができる。
【００１７】
即ち、図１の実施例では拘束片部１４を設けなくてもよい。また、拘束片部１４を設けた場合に、蓋体２０の掛止め構造として図１の実施例で示した突片１３や受部２３を用いなくてもよい。
また、拘束片部１４は、上記実施例ではケース本体１０の前面部となる下肩壁部１２に一体に形成されたが、下肩壁部１２に限らず、要するにケース本体１０の前面部の同じ位置に設けられた前面壁部に形成されるものであればよい。
【００１８】
次ぎに、この収納ケースは、上記拘束片部１４の構成と共に、あるいはこれに代えて、前記下肩壁部１２の上端端縁１２ａと、上肩壁部２２の下端縁２２ａに、凹凸係合可能な一対の掛止構成部１５、２５を設けてもよい。
図６に示す収納ケース１は、前記下肩壁部１２の上端端縁１２ａにＵ状の溝からなる掛止構成部（受部）１５が形成されており、上肩壁部２２の下端縁部２２ａには、上記凹部１５に係脱可能なＵ状の片からなる掛止構成部（突部）２５が一体に形成されている。
その他の構成は前記実施例と同様である。
【００１９】
また、図７に示す収納ケース１では、前記下肩壁部１２の上端端縁１２ａにＵ状状の片からなる掛止構成部（突部）１５が形成されており、上肩壁部２２の下端縁部２２ａには、上記突部１５に係脱可能なＵ状の片からなる掛止構成部（受部）２５が一体に形成されている。
この場合、拘束片部１４を設けなかったが、設けたものでもよい。
また、掛止構成部（突部）１５を奥行き方向に延出して拘束片部の機能を持たせるようにしてもよい。
その他の構成は前記実施例と同様である。
従って、この場合も、収納ケース１を閉じた際には、上記凹部１５と突部２５とが嵌合・係止するので、これらの拘束によって、蓋体２０は捩れにくくなる。
【００２０】
この実施例では、図８に示すように、蓋体２０の覆片２１の下端内面側にケース本体１０側に掛止められる掛止突部２６を設けてもよい。
即ち、この実施例では、ケース本体１０の底面壁部１０ａが、その前端部１６を一段上方となるように段違いで平行に隆起させ、浮き上がらせた構成となっており、収納ケース１を閉じた際に、覆片２１の下端は上記前端部１６を超えて下方に僅かに延びるようになっている。
【００２１】
そこで、前記掛止突部２６は、底面壁部１０ａの前端部１６の裏面下方１６’に係合するので、突片１３と受部２３による掛止力を、さらに強化することができる。
この発明の収納ケースは、蓋体とケース本体とがヒンジ部で連結されたプラスチックケースからなるものであればよく、背面側となる壁部はケース本体に一体に形成されるものでなくてもよい。
【００２２】
例えば、蓋体側に背面壁部が一体に形成されて、ヒンジ部を介してケース本体の底面壁部と連接するもの、あるいは背面壁部の両側にヒンジ部が設けられて、それぞれケース本体の底面壁部および蓋体の頂壁部と連接するものであってもよい。
その他、要するにこの発明の要旨を変更しない範囲で種々設計変更しうること勿論である。
【００２３】
【発明の効果】
この発明は、上記構成からなっているので、蓋体を開ける際に開けやすく、且つ確実に開けることができる。
また、蓋体が捩れに強く、撓んで変形したり、損傷することがなく、収納ケースの信頼性を高めることができる。
また、射出形成により一体に成形することができるので、工業的量産に適し、極めて有益である。
【図面の簡単な説明】
【図１】この発明の収納ケースの好適実施例を示す斜視図である。
【図２】蓋体を開いた状態の収納ケースを示す斜視図である。
【図３】突片の異なる実施例を示す収納ケースの斜視図である。
【図４】突片の別の実施例を示す収納ケースの斜視図である。
【図５】突片と受部の構造を示す断面図である。
【図６】下肩壁部と上肩壁部の衝合面に凹凸係合する掛止構成部を設けた異なる実施例を示す収納ケースの斜視図である。
【図７】掛止構成部の別の実施例を示す収納ケースの斜視図である。
【図８】（ａ）は覆片に設けた掛止突部の構造を示す断面図、（ｂ）は（ａ）のＢ−Ｂ断面図である。
【図９】従来構造の収納ケースを示す斜視図である。
【符号の説明】
１　　　収納ケース
２　　　吊下げ片部
５　　　薄肉部
１０　　　ケース本体
１０ａ　　底面壁部
１０ｂ　　背面壁部
１０ｃ　　側面壁部
１１　　　開口部
１２　　　下肩壁部
１２ａ　　上端縁部
１２ｂ　　側端縁部
１３　　　突片
１３ａ　　先端部
１３ｂ　　側辺部
１４　　　拘束片部
１５　　　掛止構成部
１６　　　前端部
２０　　　蓋体
２０ａ　　頂壁部
２０ｃ　　側片部
２１　　　覆片
２１ａ　　下端縁部
２１ｂ　　側縁部
２２　　　上肩壁部
２２ａ　　下端縁部
２３　　　受部
２３ｂ　　側壁
２５　　　掛止構成部
２６　　　掛止突部
【図１】
2004123212.tif 000003
【図２】
2004123212.tif 000004
【図３】
2004123212.tif 000005
【図４】
2004123212.tif 000006
【図５】
2004123212.tif 000007
【図６】
2004123212.tif 000008
【図７】
2004123212.tif 000009
【図８】
2004123212.tif 000010
【図９】
2004123212.tif 000011